(57)【要約】【課題】穀物貯蔵施設への荷受け作業の合理化を図ることができる穀物貯蔵施設の荷受システムを提供する。【解決手段】本発明の一態様は、カントリーエレベータ１１の荷受システム４１において、農家出荷者（穀物の生産者）が所持する農家スマホ５１と、穀物を貯蔵するカントリーエレベータ１１内に設けられ、農家スマホ５１から依頼されるカントリーエレベータ１１への穀物の荷受けの予約の受付と管理を行う管理端末５２と、が構成されている。【選択図】  図３
2018156448.tif 000002
【特許請求の範囲】
【請求項１】
穀物の生産者が所持する生産者端末と、
穀物貯蔵施設内に設けられ、前記生産者端末から依頼される前記穀物貯蔵施設への前記穀物の荷受けの予約の受付と管理を行う施設管理端末と、が構成されていること、
を特徴とする穀物貯蔵施設の荷受システム。
【請求項２】
請求項１の穀物貯蔵施設の荷受システムにおいて、
前記生産者端末には、前記穀物貯蔵施設への前記穀物の荷受けの予約の受付を行うための画面として、前記生産者の情報と前記穀物の情報とを入力するための第１予約画面と、前記穀物貯蔵施設への前記穀物の荷受けの予約時間を選択するための第２予約画面とが、表示されること、
を特徴とする穀物貯蔵施設の荷受システム。
【請求項３】
請求項２の穀物貯蔵施設の荷受システムにおいて、
前記第２予約画面に表示される前記予約時間は、前記穀物貯蔵施設における前記穀物の荷受けの処理能力をもとに一定時間ごとに区切られたコマ単位で示されること、
を特徴とする穀物貯蔵施設の荷受システム。
【請求項４】
請求項２または３の穀物貯蔵施設の荷受システムにおいて、
前記第１予約画面には、前記穀物の情報として前記穀物貯蔵施設へ搬入する予定の前記穀物の搬入量を入力する項目が設けられており、
前記第２予約画面には、入力される前記搬入量に応じて予約可能な時間が表示されること、
を特徴とする穀物貯蔵施設の荷受システム。
【請求項５】
請求項１乃至４のいずれか１つの穀物貯蔵施設の荷受システムにおいて、
前記生産者端末には、前記穀物貯蔵施設への前記穀物の荷受けの予約が完了したときに、前記生産者を識別するための符牒が表示されること、
を特徴とする穀物貯蔵施設の荷受システム。
【請求項６】
請求項１乃至５のいずれか１つの穀物貯蔵施設の荷受システムにおいて、
前記施設管理端末には、前記穀物貯蔵施設への前記穀物の荷受けの予約状況が示される予約管理画面が表示されること、
を特徴とする穀物貯蔵施設の荷受システム。
【請求項７】
請求項１乃至６のいずれか１つの穀物貯蔵施設の荷受システムにおいて、
前記施設管理端末には、前記穀物貯蔵施設の稼働状況が示される施設管理画面が表示されること、
を特徴とする穀物貯蔵施設の荷受システム。
【請求項８】
請求項１乃至７のいずれか１つの穀物貯蔵施設の荷受システムにおいて、
前記施設管理端末は、前記穀物貯蔵施設への前記穀物の荷受けができないときに、前記生産者端末に対して通知を行うこと、
を特徴とする穀物貯蔵施設の荷受システム。
【発明の詳細な説明】
【技術分野】
【０００１】
本発明は、穀物を生産する生産者から搬入される穀物を貯蔵する穀物貯蔵施設の荷受システムに関する。
【背景技術】
【０００２】
収穫された米や麦などの穀物を受入れて、穀物の品質を低下させないように穀物の水分含有率を適正な値にして貯蔵しておき、その後、適宜、穀物を出荷できるようにした穀物貯蔵施設が存在する。
【０００３】
このような穀物貯蔵施設に関して、特許文献１には、荷受け部に対して納入者が穀物を投入する穀物の荷受け処理を行うときに、納入者は受付にて受付処理を済ませた後、穀物を荷受けホッパに投入する処理を行う旨が開示されている。
【先行技術文献】
【特許文献】
【０００４】
【特許文献１】特開平１０−２９５１８２号公報
【発明の概要】
【発明が解決しようとする課題】
【０００５】
しかしながら、穀物貯蔵施設は、時期によってその稼働状況の繁閑の差が大きく、例えば穀物の収穫時などには穀物の納入者が多くなることから施設内の受付の人手が足りなくなって納入者の受付処理が進み難くなるなど、穀物貯蔵施設への荷受け作業を順調に行うことができないことがある。そのため、時期によらず穀物貯蔵施設の負荷率（設備の荷受け処理能力に対する荷受けの需要量の割合）を一定にして穀物貯蔵施設への荷受け作業を順調に行うことができるように、穀物貯蔵施設への荷受け作業の合理化を図ることが望まれる。
【０００６】
そこで、本発明は上記した問題点を解決するためになされたものであり、穀物貯蔵施設への荷受け作業の合理化を図ることができる穀物貯蔵施設の荷受システムを提供することを目的とする。
【課題を解決するための手段】
【０００７】
上記課題を解決するためになされた本発明の一形態は、穀物貯蔵施設の荷受システムにおいて、穀物の生産者が所持する生産者端末と、穀物貯蔵施設内に設けられ、前記生産者端末から依頼される前記穀物貯蔵施設への前記穀物の荷受けの予約の受付と管理を行う施設管理端末と、が構成されていること、を特徴とする。
【０００８】
この態様によれば、穀物の生産者は、穀物貯蔵施設に行く前に生産者端末により穀物の荷受けの予約をして、その後、予約した時間に穀物貯蔵施設へ行って穀物貯蔵施設に穀物を搬入することができる。そのため、複数の生産者が特定の時間に集中して穀物貯蔵施設に穀物を搬入することがないように、各々の生産者が穀物貯蔵施設に穀物を搬入する時間を仕分けることができる。したがって、繁忙期であっても、穀物貯蔵施設での荷受け作業の負荷率を一定にして、穀物貯蔵施設への荷受け作業を順調に行うことができる。このようにして、穀物貯蔵施設への荷受け作業の合理化を図ることができる。
【０００９】
上記の態様においては、前記生産者端末には、前記穀物貯蔵施設への前記穀物の荷受けの予約の受付を行うための画面として、前記生産者の情報と前記穀物の情報とを入力するための第１予約画面と、前記穀物貯蔵施設への前記穀物の荷受けの予約時間を選択するための第２予約画面とが、表示されること、が好ましい。
【００１０】
この態様によれば、穀物の生産者は、荷受けに必要な生産者の情報と穀物の情報を予約時に予め入力できるので、穀物貯蔵施設へ行ったときに荷受けに必要な情報を入力する手間を省くことができる。そのため、生産者による穀物貯蔵施設への穀物の搬入作業を効率的に行うことができる。したがって、穀物貯蔵施設への荷受け作業の合理化を図ることができる。
【００１１】
上記の態様においては、前記第２予約画面に表示される前記予約時間は、前記穀物貯蔵施設における前記穀物の荷受けの処理能力をもとに一定時間ごとに区切られたコマ単位で示されること、が好ましい。
【００１２】
この態様によれば、施設管理端末は、穀物貯蔵施設における穀物の荷受けの処理能力に応じた荷受けの予約の受付を行うことができる。そのため、穀物貯蔵施設における穀物の荷受けの処理能力に応じて、穀物貯蔵施設への荷受け作業の合理化を図ることができる。
【００１３】
上記の態様においては、前記第１予約画面には、前記穀物の情報として前記穀物貯蔵施設へ搬入する予定の前記穀物の搬入量を入力する項目が設けられており、前記第２予約画面には、入力される前記搬入量に応じて予約可能な時間が表示されること、が好ましい。
【００１４】
この態様によれば、穀物貯蔵施設への穀物の搬入量が多くても、予約した時間内で穀物貯蔵施設へ穀物を搬入できる。そのため、穀物貯蔵施設への荷受け作業を順調に行うことができる。
【００１５】
上記の態様においては、前記生産者端末には、前記穀物貯蔵施設への前記穀物の荷受けの予約が完了したときに、前記生産者を識別するための符牒が表示されること、が好ましい。
【００１６】
この態様によれば、生産者が穀物貯蔵施設へ穀物を搬入するときに、生産者が穀物貯蔵施設に設けた読み取り機器に符牒を読み取らせて照合することにより、穀物貯蔵施設において予約した生産者本人が穀物を搬入しに来たことを確認できる。そのため、生産者は、穀物貯蔵施設の受付の人を呼び出さずに、穀物貯蔵施設へ穀物を搬入することができる。したがって、繁忙期であっても穀物貯蔵施設への荷受け作業を順調に行うことができる。
【００１７】
上記の態様においては、前記施設管理端末には、前記穀物貯蔵施設への前記穀物の荷受けの予約状況が示される予約管理画面が表示されること、が好ましい。
【００１８】
この態様によれば、穀物貯蔵施設のオペレータは、施設管理端末により、穀物貯蔵施設への穀物の荷受けの予約状況を確認して管理できる。
【００１９】
上記の態様においては、前記施設管理端末には、前記穀物貯蔵施設の稼働状況が示される施設管理画面が表示されること、が好ましい。
【００２０】
この態様によれば、穀物貯蔵施設のオペレータは、施設管理端末により、穀物貯蔵施設の稼働状況を確認して管理できる。
【００２１】
上記の態様においては、前記施設管理端末は、前記穀物貯蔵施設への前記穀物の荷受けができないときに、前記生産者端末に対して通知を行うこと、が好ましい。
【００２２】
この態様によれば、例えば穀物貯蔵施設の故障時や雨の日などに、該当する予約時間に予約した生産者に対して穀物貯蔵施設への穀物の荷受けができない旨を知らせることができる。そのため、穀物貯蔵施設への穀物の荷受けができないときに、荷受けを行う時間を変更するなどして、その後の穀物貯蔵施設への荷受け作業を順調に行うことができる。
【発明の効果】
【００２３】
本発明に係る穀物貯蔵施設の荷受システムによれば、穀物貯蔵施設への荷受け作業の合理化を図ることができる。
【図面の簡単な説明】
【００２４】
【図１】カントリーエレベータ（穀物貯蔵施設）の概略構成図であり、特に荷受け部の概略構成を示している。
【図２】荷受け部にて荷受情報の各種データを取り扱うシステムの構成図である。
【図３】本実施形態におけるカントリーエレベータの荷受システムの構成図である。
【図４】予約画面１の一例を示す図である。
【図５】予約画面２の一例を示す図である。
【図６】予約確認画面の一例を示す図である。
【図７】予約完了画面の一例を示す図である。
【図８】穀物貯蔵施設の管理端末に表示される画面の一例を示す図である。
【図９】施設管理の画面の一例を示す図である。
【図１０】予約管理の画面の一例を示す図である。
【発明を実施するための形態】
【００２５】
以下、本発明の実施形態を図面に基づき説明する。そこで、まず、穀物貯蔵施設の一例であるカントリーエレベータの概要について説明した後に、本実施形態の荷受システムについて説明する。なお、以下の説明においては、穀物貯蔵施設としてカントリーエレベータを一例として挙げるが、その他、穀物貯蔵施設としてライスセンターや種子センターなども例として挙げることができる。
【００２６】
図１に示すように、カントリーエレベータ１１は、荷受け部２１と、乾燥部２２と、貯蔵部２３と、出荷部２４などを有する。
【００２７】
荷受け部２１は、荷受ホッパ３１と、粗選機３２と、荷受計量機３３と、再脱穀機３４などを複数組（図１に示す例では２組）備えている。荷受ホッパ３１は、農家出荷者（穀物の生産者）から搬入される穀物を受け入れる受入部である。粗選機３２は、荷受ホッパ３１からコンベアなどの搬送部（不図示）により送られてきた穀物の中から藁屑などの異物を除去するための機器である。荷受計量機３３は、粗選機３２から排出される穀物を計量する機器である。
【００２８】
なお、荷受け部２１は、図２に示すように、自主検定装置３５と荷受計量機操作盤３６なども備えている。そして、荷受計量機３３の計量データは、荷受計量機操作盤３６へ送られる。また、荷受計量機３３にて計量された穀物の一部は、自主検定装置３５（図２参照）に送られ、例えば搬入した穀物の歩留まり率や乾燥重量などを検定する自主検定が行われる。そして、自主検定装置３５の検定データは、荷受計量機操作盤３６へ送られる。
【００２９】
図１の説明に戻り、乾燥部２２は、荷受け部２１から送られてきた穀物に対して乾燥処理を行う。貯蔵部２３は、乾燥部２２にて乾燥処理が行われた穀物を貯蔵する。出荷部２４は、穀物を出荷する。
【００３０】
このようなカントリーエレベータ１１において、本実施形態では、穀物の荷受け処理を順調に行うためのカントリーエレベータ１１の荷受システム４１を構築している。この荷受システム４１は、図３に示すように、農家スマホ５１と管理端末５２などが構成されている。
【００３１】
農家スマホ５１は、カントリーエレベータ１１の施設外において、農家出荷者が所持する端末（生産者端末）であり、ここでは一例としてスマートフォン（携帯機器用ＯＳを備えた携帯電話）を例に挙げている。なお、農家出荷者が所持する端末としては、その他、タブレット（携帯型の板状コンピュータ）やデスクトップパソコン（卓上型の据え置きのパーソナルコンピュータ）やノートパソコンであってもよい。
【００３２】
管理端末５２は、カントリーエレベータ１１の施設内に設けられ、オペレータ（例えば、施設の管理者）が所持する端末（施設管理端末）である。この管理端末５２は、後述するように、農家スマホ５１から依頼されるカントリーエレベータ１１への穀物の荷受けの予約の受付と管理を行う。なお、管理端末５２としては、タブレットやスマートフォンの他に、デスクトップパソコンやノートパソコンであってもよい。また、管理端末５２は、例えばＷｉ−Ｆｉ（ワイファイ）などの無線ＬＡＮの通信が可能である。
【００３３】
また、管理端末５２に対しては、図３に示すように、カントリーエレベータ１１の各部（荷受け部２１や乾燥部２２や貯蔵部２３や出荷部２４など）から、稼働情報や、荷受情報や、貯蔵情報や、出荷情報などの情報が入力される。
【００３４】
そして、本実施形態では、この荷受システム４１において、カントリーエレベータ１１の負荷率（カントリーエレベータ１１の荷受け処理能力に対する荷受けの需要量の割合）をできるだけ一定にするため、カントリーエレベータ１１への穀物の荷受け、すなわち、荷受け部２１への穀物の搬入を予約制にしている。すなわち、農家出荷者は、農家スマホ５１によりカントリーエレベータ１１への穀物の荷受けを予約することできる。なお、農家スマホ５１に対しては、管理端末５２から、予約情報や稼働情報や受入状況などが通知される。そのため、農家出荷者は、農家スマホ５１により、管理端末５２から通知される予約情報や稼働情報や受入状況などを確認しながら、荷受けを予約することできる。
【００３５】
具体的には、まず、農家出荷者は農家スマホ５１に対して所定の操作を行う。このとき、例えば、農家出荷者は、農家スマホ５１を操作して、荷受けの予約を行うインターネット上のサイトへアクセスしたり、あるいは、アプリを立ち上げる。すると、農家スマホ５１に、カントリーエレベータ１１への穀物の荷受けの予約の受付を行うための画面として、図４に示すような予約画面１（第１予約画面）が表示される。この予約画面１は、農家出荷者の情報と穀物の情報とを入力するための画面である。具体的には、図４に示すように、予約画面１には、農家出荷者の情報としての生産者氏名（農家出荷者の氏名）と生産者コード（各農家出荷者に割り当てられたコード番号）と電話番号を入力するための各項目、および、穀物の情報としての品種選択と持込袋数（カントリーエレベータ１１へ搬入する予定の穀物の搬入量）を入力するための各項目が表示されている。そこで、農家出荷者は、予約画面１に表示される各項目を入力し、表示されている「ＯＫ」のボタンを押す。
【００３６】
ここで、図４に示す例においては、一例として、電話番号の項目に電話番号を入力して、表示されている「電話番号検索」のボタンを押すと、入力した電話番号から検索された生産者氏名と生産者コードが、生産者氏名と生産者コードの各項目に自動的に表示される。そこで、農家出荷者は、正しい生産者氏名を確認できたときには、表示されている「ＯＫ」のボタンを押す。
【００３７】
このようにして、農家出荷者は、荷受けに必要な農家出荷者の情報と穀物の情報を予約時に予め入力できるので、カントリーエレベータ１１へ行ったときに荷受けに必要な情報を入力する手間を省くことができる。
【００３８】
なお、予約画面１が表示される生産者氏名や生産者コードや電話番号の各項目は、農家スマホ５１の端末情報をもとに自動的に入力されるとしてもよい。
【００３９】
そして、前記のように農家出荷者が図４に示す「ＯＫ」のボタンを押すと、農家スマホ５１には、図５に示すような予約画面２（第２予約画面）が表示される。この予約画面２は、カントリーエレベータ１１への穀物の荷受けの予約時間を選択するための画面である。そして、予約画面２に表示される予約時間は、カントリーエレベータ１１における穀物の荷受けの処理能力をもとに一定時間ごとに区切られたコマ単位で示されている。すなわち、予約画面２に表示される予約時間は、その時間内にカントリーエレベータ１１の荷受け部２１に搬入できる穀物の量を考慮して区切られている。ここでは、具体的には、図５に示すように、予約画面２において、予約時間が、カントリーエレベータ１１の荷受け部２１における穀物の荷受けの処理能力をもとに、１０分ごとに区切られたコマ単位で示されている。このようにして、農家出荷者は、コマ単位の時間で予約ができるようになっている。
【００４０】
予約画面２においては、コマ毎に予約可否の表示がなされている。例えば、図５に示す例においては、１０時から１９時までについて１０分ごとに区切られた予約時間のコマが表示されている。そして、コマ毎に、「予約空（予約可）」や「予約済（予約不可）」や「時間経過後（既に時間が経過しているため予約不可）」や「必要に応じて開設」との表示がなされている。そこで、農家出荷者は、「予約空」と表示されるコマの中から、希望時間のコマを選択する。ここでは、例えば、農家出荷者が１５時１０分〜１５時２０分のコマを選択したとする。
【００４１】
すると、農家スマホ５１に、図６に示すような予約確認画面が表示される。そこで、農家出荷者は、表示された予約時間が正しければ、表示されている「はい」のボタンを押す。すると、農家スマホ５１に、図７に示すように予約完了画面が表示される。これにより、荷受けの予約が完了する。
【００４２】
また、このとき、農家スマホ５１には、図７に示す予約完了画面において、予約した農家出荷者を識別するための符牒であるＱＲコード（登録商標）も表示される。このようにＱＲコードを表示させることで、荷受け時においてカントリーエレベータ１１の荷受け部２１のゲートに設けた読み取り機器（例えば、タッチパネルなど）にＱＲコードを読み取らせることにより、カントリーエレベータ１１において穀物の搬入者が予約した農家出荷者本人であるか否かを確認できる。なお、農家出荷者を識別するための符牒として、ＱＲコードの他に、農家出荷者の電話番号の下４桁の数字などであってもよい。
【００４３】
なお、予約画面１において、「生」「半乾」などの穀物の乾燥状態を入力する項目を表示してもよい。ここで、カントリーエレベータ１１においては、穀物の乾燥状態によって、荷受け部２１に投入された後の処理工程が異なってくる。例えば、荷受け部２１に投入された穀物の乾燥状態が「生」である場合には、乾燥部２２において穀物の乾燥状態が「半乾」となるまで穀物を乾燥させた後に、貯蔵部２３に送られる。一方、荷受け部２１に投入された穀物の乾燥状態が「半乾」である場合には、乾燥部２２を経由しないで、直節的に貯蔵部２３に送られる。
【００４４】
また、例えば、「荷受け部２１への持ち込みが認められる穀物は、今日は乾燥状態が『生』の穀物であるが、明日は乾燥状態が『半乾』の穀物である。」というように、日によって穀物の乾燥状態に応じて荷受け部２１への持ち込みが認められる穀物が分けられる場合がある。この場合、予約画面１や予約画面２において、予約しようとする日に荷受け部２１への持ち込みが認められる穀物は、乾燥状態が「生」の穀物または乾燥状態が「半乾」の穀物のいずれであるかを表示させてもよい。
【００４５】
また、予約画面２においては、予約画面１にて入力される持込袋数（すなわち、カントリーエレベータ１１の荷受け部２１へ搬入する予定の穀物の搬入量）に応じて予約可能な時間が表示されるとしてもよい。例えば、予約画面１にて入力される持込袋数が多いため、荷受け部２１における荷受け処理に要する時間が予約画面２における１コマの時間では足りない場合が考えられる。この場合には、予約画面２において連続して２コマの時間を予約可能な時間だけを表示したり、予約画面２において必要なコマ数の時間を予約するように促す表示を行うことが考えられる。
【００４６】
このような予約システムにより荷受けの予約を行った農家出荷者は、予約した日時にカントリーエレベータ１１の荷受け部２１へ行って穀物を搬入する。このとき、カントリーエレベータ１１の荷受け部２１のゲート（入口）に設けられた読み取り機器にて、前記のＱＲコードまたは電話番号の下４桁数字などを用いて、穀物の搬入者が予約した農家出荷者本人であることを照合させてから、荷受け部２１へ穀物を搬入する。これにより、農家出荷者は、カントリーエレベータ１１の受付の人を呼び出さずに、荷受け部２１へ穀物を搬入することができる。なお、カントリーエレベータ１１のオペレータは、管理端末５２を見ることにより、荷受けの予約を行った農家出荷者が荷受け部２１へ穀物を搬入したことを確認できる。
【００４７】
なお、このように農家出荷者がカントリーエレベータ１１の荷受け部２１へ穀物を搬入すると、自主検定装置３５による穀物（例えば、籾）の検定データから、搬入した穀物の歩留まり率や乾燥重量が計算され、受領書がカントリーエレベータ１１のオペレータから穀物を搬入した農家出荷者へ交付される。
【００４８】
また、カントリーエレベータ１１内の管理端末５２には、図８に示すようなカントリーエレベータ１１の管理項目を選択できる選択画面が表示される。ここで、オペレータは、管理端末５２により、施設操作を行ったり、施設情報（荷受情報や出荷情報や稼働情報）や予約情報（予約状況や予約管理）を確認することができる。
【００４９】
そこで、表示されている「施設管理」のボタンをオペレータが押すと、管理端末５２には、図９に示すようなカントリーエレベータ１１の施設の稼働状況等が示される施設管理画面が表示される。また、表示されている「予約管理」のボタンをオペレータが押すと、管理端末５２には、図１０に示すようなカントリーエレベータ１１への穀物の荷受けの予約状況が示される予約管理画面が表示される。このようにして、オペレータは、管理端末５２を用いて、カントリーエレベータ１１の施設の稼働状況の監視と管理を行ったり、予約状況の確認と管理を行うことができる。そして、例えば、オペレータは、カントリーエレベータ１１の施設に異常があり荷受けが出来ないときには、荷受けが出来ないことを管理端末５２により農家出荷者の農家スマホ５１に通知できる。
【００５０】
また、管理端末５２は、例えば荷受け担当オペレータ用タブレットや施設管理担当オペレータ用タブレットなど、複数設けられている。そして、複数の管理端末５２の中で、唯一、施設に対して操作指示などができるマスターのタブレットを設定しておく。これにより、複数のタブレットから異なる操作指示が施設になされて施設が混乱することを防止できる。
【００５１】
また、図２に示すような荷受計量機３３から荷受計量機操作盤３６に送られた計量データや自主検定装置３５から荷受計量機操作盤３６に送られた検定データは、荷受情報として、管理端末５２に表示されるだけではなく、管理端末５２から農家スマホ５１へ送られて表示されるとしてもよい。
【００５２】
また、カントリーエレベータ１１の施設の故障時や雨の日など、カントリーエレベータ１１への穀物の荷受けができない場合には、その旨を予約時間（日時）の該当する農家出荷者に告知する。具体的には、管理端末５２は、カントリーエレベータ１１への穀物の荷受けができないときに、農家スマホ５１に対して、カントリーエレベータ１１への穀物の荷受けができない旨の通知を行う。
【００５３】
そして、このようにカントリーエレベータ１１への穀物の荷受けを行わない場合には、カントリーエレベータ１１への穀物の荷受けの予約時間の変更を行うようにする。例えば、カントリーエレベータ１１の施設の故障が発生したときには、故障が発生した時間分、荷受けの予約時間をずらす旨の通知を行い、これを了解した農家はそのままずらした時間を荷受けの予約時間とし、これに了解できない農家は再予約をする旨を案内する。また、雨の日であるためカントリーエレベータ１１への穀物の荷受けを行わない場合には、荷受けの予約日の変更をするように案内する。
【００５４】
以上のように本実施形態のカントリーエレベータ１１の荷受システム４１は、農家出荷者が所持する農家スマホ５１と、カントリーエレベータ１１内に設けられ、農家スマホ５１から依頼されるカントリーエレベータ１１への穀物の荷受けの予約の受付と管理を行う管理端末５２と、が構成されている。
【００５５】
これにより、農家出荷者は、カントリーエレベータ１１に行く前に農家スマホ５１により穀物の荷受けの予約をして、その後、予約した時間にカントリーエレベータ１１へ行ってカントリーエレベータ１１に穀物を搬入することができる。そのため、複数の農家出荷者が特定の時間に集中してカントリーエレベータ１１に穀物を搬入することがないように、各々の農家出荷者がカントリーエレベータ１１に穀物を搬入する時間を仕分けることができる。したがって、繁忙期であっても、カントリーエレベータ１１での荷受け作業の負荷率を一定にして、カントリーエレベータ１１への荷受け作業を順調に行うことができる。このようにして、カントリーエレベータ１１への荷受け作業の合理化を図ることができる。
【００５６】
また、農家スマホ５１には、カントリーエレベータ１１への穀物の荷受けの予約の受付を行うための画面として、農家出荷者の情報と穀物の情報とを入力するための予約画面１と、カントリーエレベータ１１への穀物の荷受けの予約時間を選択するための予約画面２とが、表示される。
【００５７】
このようにして、農家出荷者は、荷受けに必要な農家出荷者の情報と穀物の情報を予約時に予め入力できるので、カントリーエレベータ１１へ行ったときに荷受けに必要な情報を入力する手間を省くことができる。そのため、農家出荷者によるカントリーエレベータ１１への穀物の搬入作業を効率的に行うことができる。したがって、カントリーエレベータ１１への荷受け作業の合理化を図ることができる。
【００５８】
また、予約画面２に表示される予約時間は、カントリーエレベータ１１における穀物の荷受けの処理能力をもとに一定時間ごとに区切られたコマ単位で示される。これにより、管理端末５２は、カントリーエレベータ１１における穀物の荷受けの処理能力に応じた荷受けの予約の受付を行うことができる。そのため、カントリーエレベータ１１における穀物の荷受けの処理能力に応じて、カントリーエレベータ１１への荷受け作業の合理化を図ることができる。
【００５９】
また、予約画面１には、穀物の情報としてカントリーエレベータ１１へ搬入する予定の穀物の持込袋数を入力する項目が設けられている。そして、予約画面２には、予約画面１にて入力される持込袋数に応じて予約可能な時間が表示される。
【００６０】
これにより、カントリーエレベータ１１への穀物の持込袋数が多くても、予約した時間内でカントリーエレベータ１１へ穀物を搬入できる。そのため、カントリーエレベータ１１への荷受け作業を順調に行うことができる。したがって、カントリーエレベータ１１への荷受け作業の合理化を図ることができる。
【００６１】
また、農家スマホ５１には、カントリーエレベータ１１への穀物の荷受けの予約が完了したときに、農家出荷者を識別するためのＱＲコードが表示される。これにより、農家出荷者がカントリーエレベータ１１へ穀物を搬入するときに、農家出荷者がカントリーエレベータ１１に設けた読み取り機器にＱＲコードを読み取らせて照合することにより、カントリーエレベータ１１において予約した農家出荷者本人が穀物を搬入しに来たことを確認できる。そのため、農家出荷者は、カントリーエレベータ１１の受付の人を呼び出さずに、カントリーエレベータ１１へ穀物を搬入することができる。したがって、繁忙期であってもカントリーエレベータ１１への荷受け作業を順調に行うことができる。
【００６２】
また、管理端末５２には、カントリーエレベータ１１への穀物の荷受けの予約状況が示される予約管理画面が表示される。これにより、カントリーエレベータ１１のオペレータは、管理端末５２により、カントリーエレベータ１１への穀物の荷受けの予約状況を確認して管理できる。
【００６３】
また、管理端末５２には、カントリーエレベータ１１の各部（荷受け部２１や乾燥部２２や貯蔵部２３や出荷部２４など）の稼働状況が示される施設管理画面が表示される。これにより、カントリーエレベータ１１のオペレータは、管理端末５２により、カントリーエレベータ１１の稼働状況を確認して管理できる。
【００６４】
また、管理端末５２は、カントリーエレベータ１１への穀物の荷受けができないときに、農家出荷者が所持する農家スマホ５１に対して通知を行う。これにより、例えばカントリーエレベータ１１の故障時や雨の日などに、該当する予約時間に予約した農家出荷者に対してカントリーエレベータ１１への穀物の荷受けができない旨を知らせることができる。そのため、カントリーエレベータ１１への穀物の荷受けができないときに、荷受けを行う時間を変更するなどして、その後のカントリーエレベータ１１への荷受け作業を順調に行うことができる。
【００６５】
なお、上記した実施の形態は単なる例示にすぎず、本発明を何ら限定するものではなく、その要旨を逸脱しない範囲内で種々の改良、変形が可能であることはもちろんである。
【符号の説明】
【００６６】
１１  カントリーエレベータ
２１  荷受け部
２２  乾燥部
２３  貯蔵部
２４  出荷部
３１  荷受ホッパ
３２  粗選機
３３  荷受計量機
３４  再脱穀機
３５  自主検定装置
３６  荷受計量機操作盤
４１  荷受システム
５１  農家スマホ
５２  管理端末
【図１】
2018156448.tif 000003
【図２】
2018156448.tif 000004
【図３】
2018156448.tif 000005
【図４】
2018156448.tif 000006
【図５】
2018156448.tif 000007
【図６】
2018156448.tif 000008
【図７】
2018156448.tif 000009
【図８】
2018156448.tif 000010
【図９】
2018156448.tif 000011
【図１０】
2018156448.tif 000012
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
穀物の生産者が所持する生産者端末と、
穀物貯蔵施設内に設けられ、前記生産者端末から無線ＬＡＮ通信により入力される生産者の情報と、穀物の情報と、前記穀物の荷受けの予約時間と、に基づき、前記穀物の荷受けの予約の受付と管理を行う施設管理端末と、が構成されていること、
前記施設管理端末には、前記穀物貯蔵施設への前記穀物の荷受けの予約状況が示される予約管理画面が表示されること、
前記生産者端末は、スマートフォン、タブレット、デスクトップパソコン、ノートパソコンのうち少なくともいずれか１つであること、
前記施設管理端末は、スマートフォン、タブレット、デスクトップパソコン、ノートパソコンのうち少なくともいずれか１つであること、
を特徴とする穀物貯蔵施設の荷受システム。
【請求項２】
請求項１の穀物貯蔵施設の荷受システムにおいて、
前記生産者端末には、前記穀物貯蔵施設への前記穀物の荷受けの予約の受付を行うための画面として、前記生産者の情報と前記穀物の情報とを入力するための第１予約画面と、前記穀物貯蔵施設への前記穀物の荷受けの予約時間を選択するための第２予約画面とが、表示されること、
を特徴とする穀物貯蔵施設の荷受システム。
【請求項３】
請求項２の穀物貯蔵施設の荷受システムにおいて、
前記第２予約画面に表示される前記予約時間は、前記施設管理端末と前記無線ＬＡＮ通信により接続された前記穀物貯蔵施設における荷受け部の前記穀物の荷受けの処理能力をもとに一定時間ごとに区切られたコマ単位で示されること、
を特徴とする穀物貯蔵施設の荷受システム。
【請求項４】
請求項２または３の穀物貯蔵施設の荷受システムにおいて、
前記第１予約画面には、前記穀物の情報として前記穀物貯蔵施設へ搬入する予定の前記穀物の搬入量を入力する項目が設けられており、
前記施設管理端末が、前記生産者端末から前記無線ＬＡＮ通信により入力される前記搬入量に応じて、前記穀物貯蔵施設における荷受け部に搬入できる前記穀物の量を考慮して、前記第２予約画面に予約可能な時間が表示されること、
を特徴とする穀物貯蔵施設の荷受システム。
【請求項５】
請求項１乃至４のいずれか１つの穀物貯蔵施設の荷受システムにおいて、
前記生産者端末には、前記穀物貯蔵施設への前記穀物の荷受けの予約が完了したときに、前記生産者を識別するための符牒が表示されること、
を特徴とする穀物貯蔵施設の荷受システム。
【請求項６】
請求項１乃至５のいずれか１つの穀物貯蔵施設の荷受システムにおいて、
前記施設管理端末には、前記穀物貯蔵施設における荷受け部と、乾燥部と、貯蔵部と、出荷部と、の稼働状況が前記無線ＬＡＮ通信により入力され、前記稼働状況が示される施設管理画面が表示されること、
を特徴とする穀物貯蔵施設の荷受システム。
【請求項７】
請求項１乃至６のいずれか１つの穀物貯蔵施設の荷受システムにおいて、
前記施設管理端末は、前記穀物貯蔵施設の稼動状況に応じて、前記穀物貯蔵施設への前記穀物の荷受けができないときに、前記無線ＬＡＮ通信により前記生産者端末に対して通知を行うこと、
を特徴とする穀物貯蔵施設の荷受システム。